(57)【要約】【課題】輪郭が小さな着用者においてもマスクと顔面とを密着させつつ鼻および口元の空間を十分に確保できる衛生用マスクを提供する。【解決手段】衛生マスク１０は、横方向に沿った山折部と谷折部とを設けて折り畳んで形成した、広げることによってドーム状に形成される、複数の襞部２５、２６、２７、２８を並設した矩形形状のマスク本体１１と、マスク本体１１の上縁部１６に設けた第１固定部１４とマスク本体１１の下縁部１７に設けた第２固定部１５とにより固定された耳掛部１２とを備え、第１固定部１４と第２固定部１５との中央を通過する固定部二等分線に対してマスク本体１１の上縁部１６側に位置ずれして板横中心線ｃ２０が配置される、ドーム状の頂上部を構成する相対する山折上端縁Ｍｕと山折第１下端縁Ｍｄ１とに挟まれた中心板２０と、マスク本体１１の下縁部１７を構成する第３下方板２３に設けられた少なくとも１つのタック４０と、を具備する。【選択図】図７
2018193656.tif 000002
【特許請求の範囲】
【請求項１】
不織布単層または複数の不織布が積層され、横方向に沿った山折部と谷折部とを設けて折り畳んで形成した、広げることによってドーム状に形成される、複数の襞部を縦方向に並設した矩形形状のマスク本体と、
前記マスク本体の上縁部の左右端部にそれぞれ設けられた第１固定部および前記マスク本体の下縁部の左右端部にそれぞれ設けられた第２固定部により固定された左右一対の耳掛部と、を備え、
前記第１固定部と前記第２固定部との中央を通過する固定部二等分線に対して前記マスク本体の上縁部側に位置ずれして板横中心線が配置される、前記ドーム状の頂上部を構成する相対する山折部の上端縁と下端縁とに挟まれて構成される中心板と、
前記マスク本体の下縁部を構成する下方板に設けられた、前記固定部二等分線方向に延びるように形成される、少なくとも１つの折り畳み部と、
を具備することを特徴とする衛生用マスク。
【請求項２】
前記折り畳み部は、前記固定部二等分線に直交する向きで前記下縁部を構成する下板の中央に１つ設けられることを特徴とする請求項１に記載の衛生用マスク。
【請求項３】
前記折り畳み部は、前記固定部二等分線に直交する向きで前記下縁部を構成する下板に予め定めた距離離間して２つ設けられることを特徴とする請求項１に記載の衛生用マスク。
【請求項４】
前記マスク本体の上縁部の左右端部にそれぞれ設けられた耳掛部の一端が固定される第１固定部と、
前記マスク本体の下縁部の左右端部にそれぞれ設けられた前記耳掛部の他端が固定される第２固定部と、を備え、
前記マスク本体の下縁部を構成する下方板、及び該下方板よりも前記中心板側に位置する当該下方板とは異なる下方板は、前記第２固定部の位置を前記固定部二等分線側に変更するための固定部を備えることを特徴とする請求項２又は請求項３に記載の衛生用マスク。
【発明の詳細な説明】
【技術分野】
【０００１】
本発明は、衛生用マスクに関する。
【背景技術】
【０００２】
衛生用マスク（以下、マスクと略記する）には、冷気や乾燥から鼻やのどを守る、あるいは、空気中の浮遊物が体内に取り込まれるのを防ぐ、あるいは、口や鼻からの分泌物を撒き散らすのを防ぐ、等の効用がある。このため、マスクは、ユーザーの顔との密着性を高めることが重要である。
【０００３】
その一方でマスクには、ユーザーによる呼吸がし易く、且つ、蒸れなどの不快感を軽減することが要求されており、鼻および口元の空間を十分に保つ必要がある。
【０００４】
現在において、マスクは、不織布タイプが一般的であって、長方形状のマスク本体の前面に長辺方向（横方向）に沿って複数のプリーツ（襞）が設けられている。
【０００５】
プリーツを設けたマスクにおいては、これらプリーツの中央部分を短辺方向（縦方向）である上下方向に引っ張り、広げていくことによってドーム状、あるいは、お椀状になる。
【０００６】
図１Ａに示すようにユーザーＡがドーム状に広げられたマスク１を着用すると、その着用した状態においてユーザーの鼻および口元に破線に示すような空間Ｓを得られる。  
なお、符号２は耳掛部である。耳掛部２の一端は第１固定部２ａによって上縁部１Ｕ側に固定され、他端は第２固定部２ｂによって下縁部１Ｄ側に固定されている。
【０００７】
マスク１を着用したユーザーＡを正面から見ると、図１Ｂに示すようにマスク１の左縁部１Ｌが左頬上に配置され、右縁部１Ｒが右頬上に配置され、上縁部１Ｕは目の下側に配置され、下縁部１Ｄ側は顎下側に配置される。
【０００８】
この着用状態において、図１Ａに示すように第１固定部２ａと第２固定部２ｂとが予め想定した位置に配置されて、左縁部１Ｌが僅かに湾曲した「し」の字形状になる。この状態において、マスク１の各縁部１Ｌ、１Ｒ、１Ｕ、１Ｄが顔面に密着して、マスクの効用を効果的に得られる。
【０００９】
しかし、ユーザーの輪郭は、例えば、図２Ａに示すようにユーザーＡの実線で示す輪郭より全体的に幅の狭い破線に示す輪郭のユーザーＢ、あるいは、左右方向の幅が中央付近ではユーザーＡと略同じであるが顎にかけてその幅が二点鎖線で示すように幅狭になっていく輪郭のユーザーＣ、あるいは、ユーザーＡの輪郭より全体的に大きな輪郭のユーザー（不図示）等、様々である。
【００１０】
そして、図２Ｂに示すようにユーザーＢは、輪郭がユーザーＡに比べて全体的に幅が狭いため下縁部１Ｄの左縁部１Ｌ側、および、下縁部１Ｄの右縁部１Ｒ側が頬、顎からはみ出た状態になる。
【００１１】
このため、ユーザーＢは、図２Ｃに示すように第１固定部２ａ及び第２固定部２ｂの位置が耳側に引き寄せられた状態になる。すると、破線で示すように僅かに「し」の字形状で湾曲するように予め想定されていた左縁部１Ｌが実線で示すように湾曲した形状に変化し、この変化に伴って左縁部１Ｌの中途に屈曲部Ｆが形作られる。
【００１２】
すると、マスク１の屈曲部Ｆ近傍が顔面から浮いた状態になって密着性が低下する。加えて、図２Ｄに示すようにマスク１の左縁部１Ｌ側、および、右縁部１Ｒ側が頬、顎から浮いて該マスク１を着用しているユーザーＢの見た目が実際の輪郭より大きな印象を与えてしまうおそれがある。  
なお、ユーザーＣがマスク１を着用する場合にも顎にかけてその幅が幅狭であるため、ユーザーＢの場合と同様に密着性が低下するおそれ、あるいは、見た目が実際の輪郭より大きな印象を与えるおそれがある。また、ユーザーの輪郭がユーザーＡの輪郭より大きな場合にはマスクのサイズを大きめに変更することによって対応できる。
【００１３】
特許文献１には、マスク本体部と着用者の顔面との間への花粉や微粒子の吸い込みを抑制することができるマスクが開示されている。このマスクのマスク本体部は、上縁部よりも下縁部が短く形成されている。  
このため、マスク着用時において、下縁部が着用者の顎下に沿う形状を形成する。また、マスク本体部において下縁部に沿うように設けられた溶着部と着用者の顎周辺との間に隙間が生じるのを防止できる。  
【先行技術文献】
【特許文献】
【００１４】
【特許文献１】実登３２０００４９号公報
【発明の概要】
【発明が解決しようとする課題】
【００１５】
しかしながら、上記特許文献１に開示されたマスクでは密着性は向上されるが、立体空間が下縁部に向かうにしたがって小さくなって、鼻および口元の空間が不十分になるという不具合が生じる。
【００１６】
本発明は上述した事情に鑑みてなされたものであって、輪郭が小さな着用者においてもマスクと顔面とを密着させつつ鼻および口元の空間を十分に確保できる衛生用マスクを提供することを目的にしている。
【課題を解決するための手段】
【００１７】
本発明の一態様の衛生マスクは、不織布単層または複数の不織布が積層され、横方向に沿った山折部と谷折部とを設けて折り畳んで形成した、広げることによってドーム状に形成される、複数の襞部を縦方向に並設した矩形形状のマスク本体と、前記マスク本体の上縁部の左右端部にそれぞれ設けられた第１固定部および前記マスク本体の下縁部の左右端部にそれぞれ設けられた第２固定部により固定された左右一対の耳掛部と、を備え、前記第１固定部と前記第２固定部との中央を通過する固定部二等分線に対して前記マスク本体の上縁部側に位置ずれして板横中心線が配置される、前記ドーム状の頂上部を構成する相対する山折部の上端縁と下端縁とに挟まれて構成される中心板と、前記マスク本体の下縁部を構成する下方板に設けられた、前記固定部二等分線方向に延びるように形成される、少なくとも１つの折り畳み部と、を具備している。
【発明の効果】
【００１８】
本発明によれば、輪郭が小さな着用者においてもマスクと顔面とを密着させつつ鼻および口元の空間を十分に確保できる衛生用マスクを実現できる。また、マスクと顔面とが密着することによってマスクを着用したユーザーを正面から見たときにすっきりした印象を与える衛生用マスクを実現できる。
【図面の簡単な説明】
【００１９】
【図１Ａ】ドーム状に広げられたマスクを着用した状態を説明する図
【図１Ｂ】マスクを着用しているユーザーを正面から見た図
【図２Ａ】図１Ａのマスクをしたユーザーと輪郭が異なるユーザーを説明する図
【図２Ｂ】図１Ａのユーザーと輪郭が異なるユーザーが同じマスクを着用した状態を説明する正面図
【図２Ｃ】着用状態を調整したことによって発生する屈曲部を説明する図
【図２Ｄ】マスクをしたユーザーの見た目とユーザーの輪郭との違いを説明する図
【図３】本発明の衛生マスクの構成を説明する図
【図４】図３のＹ軸線に沿ったマスク本体の襞部等を説明する図
【図５】第３下方板に１つのタックを設けた状態を説明する図
【図６】第３下方板に設けられている第２固定部を変更した状態を説明する図
【図７】襞部を上下方向に広げてドーム形状に形成された衛生用マスクのマスク本体を説明する図
【図８】衛生用マスクを着用したユーザーを横から見た図
【図９】衛生用マスクを着用したユーザーを正面から見た図
【図１０】第３下方板に２つのタックを設けた状態を説明する図
【発明を実施するための形態】
【００２０】
以下に、本発明の好ましい形態について図面を参照して説明する。  
なお、以下の説明に用いる各図において、各構成要素を図面上で認識可能な程度の大きさとするため、構成要素毎に縮尺が異なる場合がある。本発明は、これらの図に記載された構成要素の数量、構成要素の形状、構成要素の大きさの比率、および各構成要素の相対的な位置関係のみに限定されるものではない。  
また、以下の説明においては、図の紙面に向かって見た上下左右方向を構成要素の上方、下方、左方、および、右方として説明している。
【００２１】
図３、図４を参照して衛生用マスク（以下、マスクと略記する）１０を説明する。  
図３に示すマスク１０は、例えば、空気中の浮遊物を体内に取り込むこと防ぐため、あるいは、口や鼻から分泌物を撒き散らすことを防ぐため、等に使用される。
【００２２】
マスク１０は、マスク本体１１と、２つの耳掛部１２と、を備えている。マスク本体１１は、不織布単層または２層以上の複数の不織布から形成された横長な矩形状である。複数の不織布の上方（符号１６の上縁部）側及び下方（符号１７の下縁部）側は、Ｘ軸と平行に横方向（左右方向ともいう）に延びる断続的な複数の左右シール線１３によって接合されている。左右シール線１３は、超音波溶着機などによって溶着加工して設けられる。
【００２３】
耳掛部１２は左右一対の例えばゴム紐等である。２つの耳掛部１２は、それぞれマスク本体１１の左側部（符号１９の左縁部）および右側部（符号１８の右縁部）に第１固定部１４、第２固定部１５を設けて一体に固定される。第１固定部１４及び第２固定部１５は、超音波溶着機などで溶着加工されて設けられる溶着部である。
【００２４】
Ｘ軸は、右縁部１８に設けられた第１固定部１４と第２固定部１５との中央及び左縁部１９の第１固定部１４と第２固定部１５との中央を通過する第１固定部１４と第２固定部１５とを結ぶ線分を二等分する固定部二等分線である。本実施形態において固定部二等分線は、図中のセンターである点Ｏを通過してマスク本体１１を上下に二等分する本体横中心線に一致している。また、Ｙ軸は点Ｏを通過してＸ軸に直交する、マスク本体１１を左右に二等分する本体縦中心線である。
【００２５】
本実施形態においてマスク本体１１は例えば三層であって、口元側に設けられるスパンボンド不織布と、中間に設けられるメルトブロー不織布と、外側に設けられるスパンボンド不織布と、を積層して形成されている。
【００２６】
マスク本体１１は、上述した三層に限定されるものでは無く、種々の不織布を適宜組み合わせて積層されて構成される。また、マスク本体１１は、通気性などを考慮した一種類の不織布を複数積層した構成としてもよい。
【００２７】
第１固定部１４は、マスク本体１１の上縁部１６側の両側部にそれぞれ設けられ、第２固定部１５はマスク本体１１の下縁部１７側の両側部にそれぞれ設けられている。。
【００２８】
符号２０、２１、２２、２３、２４は板状部（以下、板と記載している）であって、符号２０は中心板、符号２１は第１下方板、符号２２は第２下方板、符号２３は第３下方板、符号２４は上方板である。  
図３、図４に示すように上縁部１６側から上方板２４、中心板２０、第１下方板２１、第２下方板２２、第３下方板２３の順に配置されている。
【００２９】
中心板２０、第１下方板２１、第２下方板２２、第３下方板２３、上方板２４は、Ｘ軸に沿った山折部と谷折部とを設けて折り畳んで形成される複数の襞部（プリーツともいう）２５、２６、２７、２８をＹ軸方向に並設して設けられる。
【００３０】
中心板２０は、Ｘ軸に沿って延びて相対する山折上端縁Ｍｕと山折第１下端縁Ｍｄ１とに挟まれた面部である。中心板２０の板横中心線ｃ２０は、マスク本体１１の固定部二等分線であるＸ軸に対して該マスク本体１１の上縁部１６側に平行に位置ずれして設けられている。  
板横中心線ｃ２０は、中心板２０の縦方向の幅ｗを二等分する。
【００３１】
なお、本実施の形態の記載では、マスク本体１１を展開してドーム状にした際、４つの襞部２５，２６，２７，２８を着用者の側方から見て、外側に山形状と谷形状とを形成する折目に基づいて山折部、谷折部、を定義している。
【００３２】
上述した上方板２４は、中心板２０の上方側に位置し、第１襞部２５のＸ軸に沿って延びる谷折下端縁Ｖｄと上縁部１６とに挟まれた面部である。谷折下端縁Ｖｄを含む上方板２４の下方側一部分は着用側において中心板２０に重畳している。
【００３３】
そして、上方板２４の上方側には、耳掛部１２の端部を固定する溶着部である第１固定部１４が設けられると共に、ノーズフィッター３１が配設される。
【００３４】
ノーズフィッター３１は、例えば樹脂製の薄板から形成されている。ノーズフィッター３１は、マスク本体１１の上方板２４に設けられたシール線１３の間の不織布間に設けられた空間内に配設されている。ユーザーである着用者が鼻と口を覆うようにマスク１０を着用した際、ノーズフィッター３１を調整しつつ変形させることによって、マスク本体１１の上縁部１６が着用者の鼻の凹凸形状に沿う形状を維持して密着する。
【００３５】
なお、符号３２はシール部であって、ノーズフィッター３１の横方向への位置ずれを防止する。一対のシール部３２は、超音波溶着機などによる溶着加工によって設けられる。
【００３６】
第１下方板２１は、中心板２０の下方側に位置し、第２襞部２６のＸ軸に沿って延びる谷折第１上端縁Ｖｕ１と山折第２下端縁Ｍｄ２とに挟まれた面部である。谷折第１上端縁Ｖｕ１を含む第１下方板２１の上方側一部分は着用側において中心板２０に重畳している。
【００３７】
第２下方板２２は、第１下方板２１の下方側に位置し、第３襞部２７のＸ軸に沿って延びる谷折第２上端縁Ｖｕ２と山折第３下端縁Ｍｄ３とに挟まれた面部である。谷折第２上端縁Ｖｕ２を含む第２下方板２２の上方側一部分は着用側において第１下方板２１に重畳している。
【００３８】
この第２下方板２２の右縁部１８側及び左縁部１９側にはそれぞれ固定部となる第１溶着スポット３３ａが設けられている。第１溶着スポット３３ａは、山折第３下端縁Ｍｄ３に対して角度θで交差しており、本実施形態において角度θを例えば３０度に設定してある。
【００３９】
第３下方板２３は、第２下方板２２の下方側に位置し、第４襞部２８のＸ軸に沿って延びる谷折第３上端縁Ｖｕ３と下縁部１７とに挟まれた面部である。谷折第３上端縁Ｖｕ３を含む第３下方板２３の上方側一部分は着用側において第２下方板２２に重畳している。
【００４０】
この第３下方板２３の下方側には例えば１つのタックを形成するためのタック用スポット３４が設けられている。また、下方側の右縁部１８側及び左縁部１９側にはそれぞれ第２固定部１５及び第２溶着スポット３３ｂが設けられている。第２溶着スポット３３ｂは、第１溶着スポット３３ａと固定される固定部である。第２溶着スポット３３ｂは、第２固定部１５に対して予め定めた位置である例えば上方側に、下縁部１７に対して平行に、設けられている。
【００４１】
符号３５は上下シール線であって、Ｙ軸と平行に縦方向（上下方向ともいう）に延びている。上述した板２４，２０，２１，２２，２３の襞部２５，２６，２７，２８が互いに重畳した状態の右縁部１８側及び左縁部１９は、超音波溶着機によって溶着加工して設けられる断続的な上下シール線３５によって接合されている。
【００４２】
本実施形態において、マスク本体１１には図５に示すＸ軸に略直交交差する向きのタック４０が設けられている。タック４０は、折り畳み部であって、タック用スポット３４が予め定めた位置関係となるように第３下方板２３の中央部分を折り曲げた後、超音波溶着機などによって該タック用スポット３４を固定状態にする第１溶着部４１を設けて構成される。
【００４３】
第３下方板２３にタック４０を設けることによって、下縁部１７の幅が上縁部１６の幅より幅狭になる。そして、タック４０の大きさを変化させることによって下縁部１７の幅を顎の輪郭に合わせて適宜調整することが可能である。
【００４４】
また、タック４０の向きは、Ｘ軸に略直交交差する向きに限定されるものでなはく、タック４０のＸ軸に交差する角度を変化させることによって下縁部１７の形状を顎の輪郭に合わせて適宜調整することが可能である。
【００４５】
加えて、タック４０を設けたマスク本体１１は、図６に示すように第２固定部１５の位置を変更している。第２固定部１５は、第３下方板２３の第２溶着スポット３３ｂを第２下方板２２の第１溶着スポット３３ａ上に重ねた後、超音波溶着機などによって該溶着スポット３３ａ、３３ｂを固定状態にする第２溶着部４２を設けて位置変更される。
【００４６】
第２溶着部４２を設けて第２固定部１５の位置を変更することによって、下縁部１７にタック４０を挟んで傾斜部１７ａが設けられる。そして、第１溶着スポット３３ａの角度θを適宜設定することによって下縁部１７形状を顎の輪郭に一致するように適宜調整することが可能である。
【００４７】
以上のように構成された本実施の形態のマスク１０のマスク本体１１は、第１襞部２５、第２襞部２６、第３襞部２７、第４の襞部２８を展開することによって図７に示すようにドーム状になる。
【００４８】
このようにマスク本体１１がドーム状に広げられたマスク１０をユーザー５０が図８、図９に示すように着用する。  
ここで、ユーザー５０は、上述したユーザーＢと同様に破線で示すユーザーＡの顔の輪郭に比べて全体的に幅が狭い輪郭である。
【００４９】
図８に示す着用状態において、中心板２０は、ドーム状の頂上部を構成している。タック４０は、顎先端側から喉方向に沿って配置される。そして、口元の前面に第１下方板２１、第２下方板２２及び第２下方板２３の一部が配置される。この結果、鼻および口元の空間Ｓを十分に確保することができる。
【００５０】
また、図８に示すように左縁部１９が僅かに湾曲した「し」の字形状になって頬上に配置される。加えて、図８、図９に示すように下縁部１７のタック４０を挟んで設けられた傾斜部１７ａが顎に沿って密着して配置される。これらの結果、マスク１０のマスク本体１１の上縁部１６、下縁部１７の傾斜部１７ａ及びタック４０、右縁部１８及び左縁部１９が顔面に密着して配置される。
【００５１】
このため、微粒子の吸い込み等を防ぐことができると共に、マスクを着用したユーザーを正面から見たときにすっきりした印象を与えて、マスクをすることによって見た目が実際より大きな印象を与える不具合が解消される。また、マスク本体１１の第１下方板２１、第２下方板２２及び第３下方板２３の一部を配置させて口元に十分な空間Ｓが形成されるので、着用者は呼吸や会話がし易い。
【００５２】
なお、上述した実施形態においては、第３下方板２３に１つのタック４０を設けるとしている。しかし、図１０に示すように第３下方板２３に２つのタック５１、５２を設けるようにしてもよい。符号５３は第３溶着部であって、第３溶着部５３を設けることによって第３下方板２３に第１のタック５１と第２のタック５２とが設けられる。
【００５３】
なお、図３の符号５４は第１タック用スポットであり、符号５５は第２タック用スポットである。第１タック用スポット５４を予め定めた位置関係となるように第３下方板２３の中央より右縁部１８側を折り曲げた後、第３溶着部５３を設けることによって第１タック５１が構成される。これに対して第２タック５２は、第２タック用スポット５５を予め定めた位置関係となるように第３下方板２３の中央より左縁部１９側を折り曲げた後、第３溶着部５３を設けて構成される。
【００５４】
これら第１タック５１、第２タック５２を設けることによって、下縁部１７の幅が上縁部１６の幅より幅狭になる。そして、タック第１タック５１、第２タック５２の大きさ、位置、タック５１、５２のＸ軸に交差する角度を変化させることによって下縁部１７の幅を顎の輪郭に合わせて適宜調整することが可能である。
【００５５】
なお、図示は省略するが第１タック５１、第２タック５２を設けたマスク本体１１に設けられている溶着スポット３３ａ、３３ｂを固定状態にする第２溶着部４２を設けて第２固定部１５の位置を位置変更するようにしてもよい。  
このことによって、下縁部１７の形状を顎の輪郭に一致するように適宜調整することが可能である。
【００５６】
マスク１０は、４つの第１、第２、第３および第４の襞部２５，２６，２７，２８の数に限定されることなく、襞の数に制限されないものである。
【００５７】
なお、以上の各実施の形態に記載した発明は、それら実施の形態および変形例に限ることなく、その他、実施段階ではその要旨を逸脱しない範囲で種々の変形を実施し得ることが可能である。
【符号の説明】
【００５８】
１０・・・マスク  １１・・・マスク本体  １２・・・耳掛部  １４・・・第１固定部
１５・・・第２固定部  １６・・・上縁部  １７・・・下縁部  １７ａ・・・傾斜部
１８・・・右縁部  １９・・・左縁部  ２０・・・中心板  ２１・・・第１下方板  
２２・・・第２下方板  ２３・・・第３下方板  ２４・・・上方板  ２５・・・第１襞部
２６・・・第２襞部  ２７・・・第３襞部  ２８・・・第４の襞部  
３３ａ・・・第１溶着スポット  ３３ｂ・・・第２溶着スポット  
３４・・・タック用スポット  ４０・・・折り畳み部（タック）  ４１・・・第１溶着部
４２・・・第２溶着部、
【図１Ａ】
2018193656.tif 000003
【図１Ｂ】
2018193656.tif 000004
【図２Ａ】
2018193656.tif 000005
【図２Ｂ】
2018193656.tif 000006
【図２Ｃ】
2018193656.tif 000007
【図２Ｄ】
2018193656.tif 000008
【図３】
2018193656.tif 000009
【図４】
2018193656.tif 000010
【図５】
2018193656.tif 000011
【図６】
2018193656.tif 000012
【図７】
2018193656.tif 000013
【図８】
2018193656.tif 000014
【図９】
2018193656.tif 000015
【図１０】
2018193656.tif 000016